(57)【特許請求の範囲】
【請求項１】
防水シート１全面に、無機質骨材を樹脂で結合させた所要形状の塊り２を、所要意匠の模様に配設して固着した屋根材又は外壁材を、屋根下地又は外壁下地に貼付して屋根又は外壁を形成する際、その屋根材又は外壁材を所要寸法に切断し、その切断縁を、他の屋根材又は外壁材の端縁に防水処理を伴って接続し、その接続部分の上記塊り２を剥がすことによって目地を形成することを特徴とする屋根又は外壁の形成方法。
【請求項２】
上記屋根材又は外壁材を、上記樹脂を結合後も屈曲可能な柔軟性を有するものとしたことを特徴とする請求項１に記載の屋根又は外壁の形成方法。
【請求項３】
上記屋根材又は外壁材を、上記防水シート１は、繊維を混在させたり、メッシュ状クロス又は不織布を介在させたり、又は一表面にメッシュ状クロス又は不織布を一体的に貼付して、寸法安定性を担保されたものであるとしたことを特徴とする請求項１又は２に記載の屋根又は外壁の形成方法。
【請求項４】
上記屋根材又は外壁材を、上記防水シートがポリ塩化ビニルシートの場合、その成形時の可塑剤等の添加剤を不揮発性のものを使用したことを特徴とする請求項１、２又は３に記載の屋根又は外壁の形成方法。
【請求項５】
屋根下地又は外壁下地の表面に塗膜防水層を形成した後、無機質骨材の樹脂混和物を前記防水層表面に吹き付けて、その防水層上に所要形状の塊り２を所要意匠の模様に配設して固着することを特徴とする屋根又は外壁の形成方法。
【発明の詳細な説明】
【０００１】
【発明の属する技術分野】
この発明は、建築構造物の屋根材又は外壁材に関するものである。
【０００２】
【従来の技術】
建築構造物の屋根は、屋上のコンクリートスラブやＡＬＣ板上に防水層を形成したり、野地板の上面に下葺材として防水シートを施設し、その上に金属材などの仕上げ材張りをして構築する。近年の人不足から、その施工工数の削減が望まれている。また、近年、屋上の意匠性の向上が望まれている。これらは、外壁の構築においても同様である。
【０００３】
このような情況の下、特開平５−１３３０７０号公報、同５−２０９４５３号公報、同６−２５７２６３号公報等に記載のごとく、不織布などの可撓性シート表面に、無機質骨材の樹脂混和物を吹き付けなどによって固着し、その塊りを所要の意匠とした化粧層を設けた、外壁材（外壁表装材）が開発されている。
【０００４】
この外壁材は、可撓性を有するため、壁紙を貼るように下地に貼付することができ、施工性がよい。また、無機質骨材の塊りの形状及び色彩の配合を変えることにより、種々の模様（デザイン）の外壁とし得る。さらに、無機質骨材の樹脂混和物は軽量のため、外壁の軽量化を図り得る。
【０００５】
【発明が解決しようとする課題】
しかしながら、屋根、外壁は自然に直接に晒されるため、雨等の耐候性を要求される。このため、上述の各公報に開示の外壁材は、その施工前又は後に表面に防水処理を施したり、目地には目地材を介在している。
【０００６】
因みに、従来の外壁においては、雨水は垂れ落ちるため、防水シートの施工はされておらず、雨水が垂れ落ちる際の防水性を担保できればよいため、防水剤の塗布などによって外壁表面に防水層を形成しているにすぎない。
【０００７】
この発明は、屋根材又は外壁材の貼付後に防水処理を不要とすることを課題とする。
【０００８】
【課題を解決するための手段】
上記課題を解決するために、この発明は、防水シート全面に、無機質骨材の粒状物を樹脂で結合させた所要形状の塊りを、所要意匠の模様に配設して固着した構成としたのである。
【０００９】
ここで、防水シートとは、ＪＩＳ  Ａ  ６００８等において定める、品質、各種機能を有し、別途に防水処理をする必要がないものをいう。
【００１０】
このように構成するこの発明に係る屋根材又は外壁材は、野地材、下地材等の表面に張る（貼る）ことにより、従来の防水シート張りと屋根又は外壁の仕上げ材張りを同時に行うこととなる。
【００１１】
上記樹脂が柔軟性を有すると、この屋根材又は外壁材を巻回することもでき、運搬性が向上する。
【００１２】
上記防水シートは、繊維を混在させたり、メッシュ状クロス又は不織布を介在させたり、又は一表面にメッシュ状クロス又は不織布を一体的に貼付して、寸法安定性を担保されたものとすれば、防水シートの経時的な伸縮がなく、防水シートの伸縮に基づく、塊りの剥離を防止することができる。
【００１３】
また、上記防水シートがポリ塩化ビニル（ＰＶＣ）シートの場合、その成形時の可塑剤等の添加剤を不揮発性のものを使用するとよい。ＰＶＣシートは、一般に寸法安定性にとぼしく、可塑剤等の添加剤が揮散（揮発）すると、その寸法安定性の低下がより進行するからである。不揮発性にするには、例えば、可塑剤等の添加剤を粉末状のものにすることによって得る。
【００１４】
上記の各屋根材又は外壁材は、屋根下地又は外壁下地に貼付して屋根又は外壁を形成するが、その各防水シートの端縁ジョイント部は重なり合わせて、熱、溶剤又は接着剤により強固に固着するとよい。
【００１５】
また、その屋根、外壁の形成の際、上記屋根材又は外壁材を所要寸法に切断し、その切断縁を、他の屋根材又は外壁材の端縁に防水処理を伴って接続し、その接続部分の上記塊りを剥がすことによって目地を形成するようにするとよい。
【００１６】
このようにすれば、防水シートの貼付時、隣り合う防水シートの対向端縁に間隙を形成して、目地を作り、その目地に目地材を充填する必要もなく、塊りの剥離によって露出する面は防水シート面のため、何ら支障はない。
【００１７】
上述の各発明は、防水シートに予め無機質骨材の塊りを固着したものであるが、上述の各防水シートを、屋根又は外壁の下地表面に貼付した後、上記無機質骨材の樹脂混和物を前記防水シート表面に吹き付けて、その防水シート上に、上記所要形状の塊りを所要意匠の模様に配設して固着することにより、屋根又は外壁を形成したり、屋根下地又は外壁下地の表面に塗膜防水層を形成した後、上記無機質骨材の樹脂混和物を前記防水層表面に吹き付けて、その防水シート上に上記所要形状の塊りを所要意匠の模様に配設して固着することにより、屋根又は外壁を形成することができる。
【００１８】
【発明の効果】
この発明は以上のように構成することによって、下記の効果▲１▼〜▲３▼を発揮する。
▲１▼防水シートと意匠材が一体であり、防水シート張り工事と仕上げ材張り工事を１回で出来ることから、工数が省けるとともに、２つの機能を１つで発揮でき、コストダウンを図ることができる。
▲２▼軽量かつ、防水シート及び結合樹脂の伸縮性により、地震等による剥離（ハクリ）及び落下の危険性が少ない屋根又は外壁となる。
▲３▼防水シートと同一施工のため、不燃耐火ボードとの組合せも容易であり、耐火構造とし易い。
【００１９】
【発明の実施の形態】
図１、図２に一実施形態を示し、塩化ビニル等の周知の防水シート１上に、硅砂、小石、陶磁器骨材の粒状物（グラニュー糖状のもの）などをアクリル系エマルジョン、塩化ビニルなどの樹脂で結合させた任意の意匠による長方形状の塊り（屋根片、縦×横×厚：３５×９５×３ｍｍ）２を縦横に半分程ずらして固着する。屋根片２の形状及び配列は任意である。また、シート（長方形）の幅Ｗ及び長さＬも、製作性、運搬性等を考慮して適宜に決定する。目地４は防水シート１の表面をそのままとしてもよいが、適宜な目地材を充填することもできる。その目地材は屋根材の形成時でも施工時でもよい。
【００２０】
上記防水シート１は、従来と同様に、所要の大きさのものであって、図３に示すように、その成形用樹脂混和物に耐張力繊維ａを混在させて、カレンダー成形によって、繊維ａ入りのものとしたり、さらに、同図（ｂ）に示すように、メッシュクロスｂを圧着によって介在したものとしたり、さらに、同図（ｃ）に示すように、一表面にメッシュクロスｂを圧着したものとして、寸法安定性のよいものとする。また、可塑剤には粉末状のものを使用して、成形後に揮発しないようにする。
【００２１】
この屋根材Ａは、従来の防水シートと同様に、図１に示すように野地材３に張設する。外壁材として使用する場合は、この屋根材Ａを外壁材Ａとし、この外壁材Ａを、外壁の基材（下地材）に張設する。各シートの周縁は突き合わせて、図４（ａ）、（ｂ）に示すように、その上又は下から別途の帯状シート片ｃを貼付したり、同図（ｃ）、（ｄ）に示すように、重ね合わせて貼付してもよい。なお、同図（ｂ）はシート片ｃ部分が目地部となる。この重ね合わせの場合は、少なくとも２辺に屋根片２を設けないジョイント部１ａを形成するとよい（図５、図６参照）。少なくとも２辺にジョイント部１ａがあれば、縦横に隣り合うシートを重ね合わすことができ、また、四辺全てにジョイント部１ａがあれば、幅方向又は縦方向のいずれに裁断しても、ジョイント部１ａが２辺以上残って、隣り合うシートを重ね得る。
【００２２】
図５に示す実施形態は、シート１を長尺物として巻回したものであり、前縁及び一側縁には屋根片２を設けていない所要幅のジョイント部１ａが形成されている。このジョイント部１ａを重ねて隣接するシート１を張設する。屋根片２は図６に示すようにベタ状態（粒状物をジョイント部１ａを除いて固着した状態）のものとし得る。ジョイント部１ａは省略し得る。
【００２３】
図７に示す実施形態は、屋根片２の上面に傾むきをもたせたものであり、この傾むきによって、反射光による趣き、例えば、影などが変化する。
【００２４】
なお、シート１を切断した際、屋根片（塊り２）を切断するなどによって、その切断縁に屋根片２が臨んだ場合において、その切断縁に上記ジョイント部１ａを確保したり、意匠面から、目地部分を確保する必要があれば屋根片２を適宜の幅、長さを剥ぎ取ることによって、その確保をし得る。
【００２５】
上記各実施形態は、屋根片２が予め固着された防水シート１を屋根又は外壁下地に貼付したが、防水シート１のみをその下地に貼付し、上述の骨材粒状物を混入させた樹脂混和物をその防水シート１表面に吹き付けて、塊り２を設ける（固着する）ようにすることもできる。
【００２６】
また、防水シート１に代えて、屋根又は外壁下地に、ウレタン、ゴム、エポキシ、ＰＶＣ等の防水層を形成し得る塗膜材を直接に吹き付け、又は塗布してその下地上に防水層を形成し、その防水層上に、上記樹脂混和物を吹き付けて、塊り２を設ける（固着する）こともできる。
【００２７】
なお、この発明によってなした屋根、外壁の全表面には、屋根片２の経時劣化を防止する処理、例えば、耐候性塗膜を、吹き付け、塗布などによって形成することができる。
【図面の簡単な説明】
【図１】一実施例の施工概略図
【図２】一実施例の部分斜視図
【図３】防水シートの各例の断面図
【図４】防水シートの接合説明図
【図５】他の実施例の斜視図
【図６】他の実施例の斜視図
【図７】他の実施例の正面図
【符号の説明】
１  防水シート
１ａ  ジョイント部
２  無機質骨材の粒状物の樹脂結合の塊り（屋根片）
３  野地材
４  目地
Ａ  屋根材（外壁材）
ａ  繊維
ｂ  メッシュ状クロス
ｃ  シート片
【図１】
0003637137.tif 000002
【図２】
0003637137.tif 000003
【図３】
0003637137.tif 000004
【図４】
0003637137.tif 000005
【図５】
0003637137.tif 000006
【図６】
0003637137.tif 000007
【図７】
0003637137.tif 000008